【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ロック印刷処理部と、
を有する印刷装置であって、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記ユーザ識別データが成功裏に確認された場合、前記インターフェースを介して前記キーパッド装置から当該印刷装置が受信したデータ日付基準を、当該印刷装置に格納されている１つ以上の印刷ジョブの何れかが満たしているか否かを確認し、満たしていた場合、該データ日付基準を満たす当該印刷装置に格納済みの印刷ジョブが、当該印刷装置で印刷されるのを引き起こすこと、
を行うように形成された印刷装置。
【請求項２】
前記ユーザ識別データをリモート確認サーバーで確認することで、前記インターフェースを通じて前記キーパッド装置から受信した前記ユーザ識別データを確認することを行うように、前記ロック印刷処理部は形成される請求項１記載の印刷装置。
【請求項３】
前記データ日付基準が特定の日付を指定し、
当該印刷装置に格納されている１つ以上の印刷ジョブの何れかデータ日付基準を満たしているか否かの確認は、前記１つ以上の印刷ジョブの何れかが、前記特定の日付と同じ関連作成日を有するか否かを確認することを含む請求項１記載の印刷装置。
【請求項４】
前記データ日付基準が日付の範囲を指定し、
当該印刷装置に格納されている１つ以上の印刷ジョブの何れかデータ日付基準を満たしているか否かの確認は、前記１つ以上の印刷ジョブの何れかが、前記日付の範囲内にある関連作成日を有するか否かを確認することを含む請求項１記載の印刷装置。
【請求項５】
当該印刷装置に格納される１つ以上の印刷ジョブが、少なくとも２人のユーザに関連付けられる請求項１記載の印刷装置。
【請求項６】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ロック印刷処理部と、
を有する印刷装置であって、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記ユーザ識別データが成功裏に確認された場合、
前記インターフェースを介して前記キーパッド装置から当該印刷装置が受信した印刷ジョブ識別子に合致している関連印刷ジョブ識別子を、当該印刷装置に格納されている１つ以上の印刷ジョブの何れかが有するか否かを確認し、
前記インターフェースを介して前記キーパッド装置から当該印刷装置が受信した印刷ジョブ識別子に合致している関連印刷ジョブ識別子を、当該印刷装置に格納されている１つ以上の印刷ジョブの内の特定の印刷ジョブが有していた場合、当該印刷装置に格納されている特定の印刷ジョブが、当該印刷装置で印刷されるのを引き起こすこと、
を行うように形成された印刷装置。
【請求項７】
当該印刷装置で受信した前記特定の印刷ジョブを検査し、前記特定の印刷ジョブを一意に識別する識別子と、前記印刷ジョブに含まれている電子メールアドレスとの双方を特定すること、
前記特定の印刷ジョブを一意に識別する前記識別子を含むメッセージを生成し、前記電子メールアドレスに送信すること、
を行うように更に形成された請求項６記載の印刷装置。
【請求項８】
前記ユーザ識別データをリモート確認サーバーで確認することで、前記インターフェースを通じて前記キーパッド装置から受信した前記ユーザ識別データを確認することを行うように、前記ロック印刷処理部は形成される請求項６記載の印刷装置。
【請求項９】
当該印刷装置に格納される前記１つ以上の印刷ジョブが、少なくとも２人のユーザに関連付けられる請求項６記載の印刷装置。
【請求項１０】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ロック印刷処理部と、
を有する印刷装置であって、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記ユーザ識別データが成功裏に確認された場合、
前記インターフェースを介して前記キーパッド装置から当該印刷装置が受信したユーザIDに合致している関連ユーザIDを、当該印刷装置に格納されている１つ以上の印刷ジョブの何れかが有するか否かを確認し、
前記インターフェースを介して前記キーパッド装置から当該印刷装置が受信した前記ユーザIDに合致している関連ユーザIDを、当該印刷装置に格納されている１つ以上の印刷ジョブの内の特定の印刷ジョブが有していた場合、当該印刷装置に格納されている特定の印刷ジョブが、当該印刷装置で印刷されるのを引き起こすこと、
を行うように形成された印刷装置。
【請求項１１】
前記ユーザIDとは異なる第２ユーザID及びパスワードを前記ユーザ識別データが含んでいる請求項１０記載の印刷装置。
【請求項１２】
前記ユーザ識別データをリモート確認サーバーで確認することで、前記インターフェースを通じて前記キーパッド装置から受信した前記ユーザ識別データを確認することを行うように、前記ロック印刷処理部は形成される請求項１０記載の印刷装置。
【請求項１３】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ロック印刷処理部と、
を有する印刷装置であって、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記ユーザ識別データが成功裏に確認された場合、
前記インターフェースを介して前記キーパッド装置から当該印刷装置が受信したIDに合致している関連IDを、当該印刷装置に格納されている１つ以上の印刷ジョブの何れかが有するか否かを確認し、
前記インターフェースを介して前記キーパッド装置から当該印刷装置が受信した前記IDに合致している関連IDを、当該印刷装置に格納されている１つ以上の印刷ジョブの内の特定の印刷ジョブが有していた場合、当該印刷装置に格納されている特定の印刷ジョブが、当該印刷装置で印刷されるのを引き起こすこと、
を行うように形成された印刷装置。
【請求項１４】
前記ユーザ識別データが、第２ユーザ及びパスワードを含む請求項１３記載の印刷装置。
【請求項１５】
前記ユーザ識別データをリモート確認サーバーで確認することで、前記インターフェースを通じて前記キーパッド装置から受信した前記ユーザ識別データを確認することを行うように、前記ロック印刷処理部は形成される請求項１３記載の印刷装置。
【請求項１６】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ロック印刷処理部と、
を有する印刷装置であって、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記ユーザ識別データが成功裏に確認された場合、
前記インターフェースを介して前記キーパッド装置から当該印刷装置が受信したIDに合致している関連IDを、当該印刷装置に格納されている１つ以上の印刷ジョブの何れかが有するか否かを確認し、
前記インターフェースを介して前記キーパッド装置から当該印刷装置が受信した前記IDに合致している関連IDを、当該印刷装置に格納されている１つ以上の印刷ジョブの内の特定の印刷ジョブが有していた場合、
前記特定の印刷ジョブが過去に印刷されているか否かを確認し、
前記特定の印刷ジョブが過去に印刷されていなかった場合、当該印刷装置に格納されている特定の印刷ジョブが、当該印刷装置で印刷されるのを引き起こすこと、
を行うように形成された印刷装置。
【請求項１７】
前記ユーザ識別データが、第２ユーザ及びパスワードを含む請求項１６記載の印刷装置。
【請求項１８】
前記ユーザ識別データをリモート確認サーバーで確認することで、前記インターフェースを通じて前記キーパッド装置から受信した前記ユーザ識別データを確認することを行うように、前記ロック印刷処理部は形成される請求項１６記載の印刷装置。
【請求項１９】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ロック印刷処理部と、
を有する印刷装置であって、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記ユーザ識別データが成功裏に確認された場合、前記キーパッド装置で特定のキーが選択されたことを示すデータを当該印刷装置が受信したことに応じて、
当該印刷装置に格納されているロック印刷ジョブのリストを、関連するジョブIDと共に当該印刷装置が印刷することを引き起こし、
当該印刷装置に格納されている特定の印刷ジョブを選択したことを示すデータを受信したことに応じて、前記特定の印刷ジョブが、当該印刷装置で印刷されるのを引き起こすこと、
を行うように形成された印刷装置。
【請求項２０】
前記特定の印刷ジョブの選択を示す前記データが前記特定の印刷ジョブのジョブIDを指定し、前記キーパッド装置からの前記データが当該印刷装置で受信され、前記特定の印刷ジョブの前記ジョブIDを前記キーパッド装置に前記ユーザが入力したことに応じて、前記データが生成される請求項１９記載の印刷装置。
【請求項２１】
ネットワークを介して当該印刷装置で受信した印刷ジョブを処理し、該印刷ジョブに含まれている電子書類の印刷バージョンを当該印刷装置で生成することを引き起こす印刷処理部と、
ディスプレイを有するキーパッド装置及び当該印刷装置を通信可能に結合するインターフェースと、
ウェブサーバと、
ロック印刷処理部と、
を有する印刷装置であって、前記ウェブサーバは、
クライアント装置で実行するウェブブラウザにより受信されるログインページを求めるリクエストを生成し、該リクエストに応じて、前記ログインページを生成して前記ウェブブラウザに与えること、
前記ウェブブラウザからユーザ識別データを受信すること、
前記ユーザ識別データが成功裏に確認された場合、当該印刷装置に格納されている１つ以上のロック印刷ジョブ及び前記１つ以上のロック印刷ジョブ各々についてのジョブIDを識別するウェブページを生成し、該ウェブページを前記クライアント装置で動作する前記ウェブブラウザに送信すること、
を行うように形成され、前記ロック印刷装置は、
前記ネットワークを介して当該印刷装置で受信した複数の印刷ジョブを検査し、前記複数の印刷ジョブの内の何れかについてロック印刷が指定されているか否かを確認すること、
前記複数の印刷ジョブの内１つ以上の印刷ジョブについてロック印刷が指定されていた場合、該１つ以上の印刷ジョブを印刷せずに当該印刷装置に格納するのを引き起こすこと、
前記インターフェースを介して前記キーパッド装置から受信したユーザ識別データを確認すること、及び
前記クライアント装置で動作する前記ウェブブラウザにより前記ウェブサーバで受信した前記ユーザ識別データを確認し、前記インターフェースを介して前記キーパッド装置から当該印刷装置が受信したユーザIDに合致している関連ユーザIDを、当該印刷装置に格納されている１つ以上の印刷ジョブの何れかが有するか否かを確認し、
前記インターフェースを介して前記キーパッド装置から当該印刷装置が受信した前記ユーザIDに合致している関連ユーザIDを、当該印刷装置に格納されている１つ以上の印刷ジョブの内の特定の印刷ジョブが有していた場合、当該印刷装置に格納されている特定の印刷ジョブが、当該印刷装置で印刷されるのを引き起こすこと、
を行うように形成された印刷装置。